(57)【要約】  コンパクトなイオン発生装置を提供する。回転軸方向に沿った第１方向から吸引した空気を径方向外側に送風するファン（３３）を回転させるモータ(３１)を中心にして、制御基板（３０）とイオン発生部（４１）とを重なりを避けて同心円状に配置する。また、ファン（３３）から送風された空気を径方向に導風する第１風路部（５２）と、第１風路部（５２）に導風された空気の流れ方向を径方向よりも第１方向側に変化させる第２風路部（５３）とを有するファンカバー（５０）を備え、イオン発生部（４１）を第１風路部（５２）の壁面の一部を形成するように配置する。
2016067743.tif 000002
【特許請求の範囲】
【請求項１】
吸引した空気を送風するファンと、上記ファンによって送風される空気中にイオンを発生させるイオン発生部と、上記ファンを回転させるモータと、を備えたイオン発生装置であって、
少なくとも上記ファンを回転させるモータと、上記イオン発生部と、を制御する制御基板を備え、
上記モータを中心として、上記制御基板と、上記イオン発生部と、を上記ファンの径方向に重なりを避けて同心円状に配置していることを特徴とするイオン発生装置。
【請求項２】
上記ファンの回転軸方向に沿った第１方向から吸引した空気を径方向外側に導風する第１風路部と、
上記第１風路部に導風された空気の流れ方向を上記第１方向側に変化させる第２風路部と、を有するファンカバーを備え、
上記イオン発生部は、上記第１風路部における上記第１方向の反対側である第２方向側の面の一部を形成していることを特徴とする請求項１に記載のイオン発生装置。
【請求項３】
複数の上記イオン発生部が一体化されたイオン発生ユニットを備え、
上記イオン発生ユニットは上記ファンカバーに対して上記イオン発生部が一体化された状態で着脱可能であることを特徴とする請求項２に記載のイオン発生装置。
【請求項４】
上記ファンカバーを収容する筐体部を備え、
上記ファンカバーは上記筐体部に対して着脱可能であり、
上記ファンカバーは上記イオン発生ユニットが装着された状態で上記筐体部に対して着脱されることを特徴とする請求項３に記載のイオン発生装置。
【請求項５】
上記ファンカバーは、上記第１方向側に上記ファンに対して対向する位置に外気を取り入れるための吸込口を有しており、
上記ファンカバーの上記第１方向側に取り付けられた、上記吸込口に対応する形状の開口部を有する下部カバーと、
上記開口部を覆うように配置されるフィルターと、
上記下部カバーの上記第１方向側の位置に、底板部とを備え、
上記底板部は、上記下部カバーとの間に外気を取り入れるための隙間が形成された状態で取り付けられ、
上記底板部は、上記フィルターよりも外径が大きく、
上記下部カバー、上記フィルター、および上記底板部が上記ファンカバーに対して一体的に着脱可能であることを特徴とする請求項２から４のいずれか１項に記載のイオン発生装置。
【請求項６】
上記ファンよりも上方の上記第２方向側の位置に、当該イオン発生装置を配線ダクトに接続するためのダクトプラグを備えていることを特徴とする請求項１から５のいずれか１項に記載のイオン発生装置。
【発明の詳細な説明】
【技術分野】
【０００１】
本発明は、大気中で放電してイオンを発生させ室内に拡散させるイオン発生装置に関するものである。
【背景技術】
【０００２】
従来、森林浴効果を得るためにマイナスイオンを放出させるマイナスイオン発生装置や、除菌・脱臭効果を得るためにマイナスイオンとプラスイオンとを放出させるプラズマクラスター（登録商標）イオン発生装置などの各種のイオン発生装置が知られている。【０００３】
例えば、特許文献１には、マイナスイオン発生装置を備えた照明装置が開示されている。
【先行技術文献】
【特許文献】
【０００４】
【特許文献１】日本国公開特許公報「特開２００４−２２１９５号公報（２００４年１月２２日公開）」
【発明の概要】
【発明が解決しようとする課題】
【０００５】
しかしながら、上記特許文献１の技術では、軸流ファンを用いるとともに、軸流ファンに対して軸方向に対向する位置にマイナスイオン発生装置を設けているので、軸方向についての装置サイズが大きくなるという問題がある。このため、例えば天井等に設置する場合に、天井面に垂直な方向のサイズが大きくなって周囲の人に圧迫感を与えたり、空間の利用効率が低下したりしてしまう。【０００６】
本発明は、上記の問題点に鑑みて成されたものであり、その目的は、厚さが薄いコンパクトなイオン発生装置を提供することにある。
【課題を解決するための手段】
【０００７】
本発明の一態様にかかるイオン発生装置は、回転軸方向に沿った第１方向から吸引した空気を径方向外側に送風するファンと、上記ファンを回転させるモータと、上記ファンによって送風される空気中にイオンを発生させるイオン発生部とを備えたイオン発生装置であって、上記第１方向から見ると、上記モータ、上記イオン発生部、および、少なくとも上記ファンを駆動するモータと上記イオン発生部を制御する制御基板とを、上記モータの回転軸を中心にして同心円状に重なりを避けて配置されることを特徴としている。【０００８】
また、本発明の一態様にかかるイオン発生装置は、上記ファンから送風された空気を径方向に導風する第１風路部と、上記第１風路部に導風された空気の流れ方向を上記第１方向側に変化させる第２風路部と、を有するファンカバーを備え、上記イオン発生部は、上記第１風路部における上記第１方向の反対側である第２方向側の面の一部を形成していることを特徴としている。【０００９】
また、本発明の一態様にかかるイオン発生装置は、複数のイオン発生部を備えてイオン発生ユニットを構成し、上記ファンカバーに対して上記イオン発生ユニットが一体で着脱可能であることを特徴としている。【００１０】
また、本発明の一態様にかかるイオン発生装置は、上記ファンカバーを収容する筐体部を備え、上記ファンカバーは上記筐体部に対して着脱可能であり、上記ファンカバーは上記イオン発生ユニットが装着された状態で上記筐体部に対して着脱可能であることを特徴としている。【００１１】
また、本発明の一態様にかかるイオン発生装置は、上記ファンカバーの上記第１方向側に、上記ファンに対して対向する位置に外気を取り入れるための吸込口を有しており、上記ファンカバーの上記第１方向側に取り付けられた上記吸込口に対応する形状の開口部を有する下部カバーと、上記開口部を覆うように配置されるフィルターと、上記下部カバーの上記第１方向側の位置に、底板部とを備え、上記下部カバー、上記フィルター、および上記底板部が上記ファンカバーに対して一体的に着脱可能であることを特徴としている。【００１２】
また、本発明の一態様にかかるイオン発生装置は、上記ファンよりも上方の上記第２方向側の位置に、当該イオン発生装置を配線ダクトに接続するためのダクトプラグを備えていることを特徴としている。
【発明の効果】
【００１３】
上記の構成によれば、ファンを駆動するモータの回転軸を中心として制御基板とイオン発生部が重なりを避けて同心円状に配置されるので、イオン発生装置の厚さを薄くすることができ、イオン発生装置をコンパクト化することができる。【００１４】
また、上記の構成によれば、最も重量があるモータを中心として制御基板とイオン発生部が同心円状に配置されるので、イオン発生装置の前後方向および左右方向の重量バランスが取り易くなる。【００１５】
また、上記の構成によれば、最も重量があるモータを吊り下げ部であるダクトプラグに接近して配置することが出来て、イオン発生装置が吊り下げられた状態で左右に振動した場合にも、ダクトプラグに大きなトルクが掛かりにくくなり振動に強い構造となる。【００１６】
また、上記の構成によれば、イオン発生部は、ファンを取り囲むファンカバーにおいて、ファンから送風された空気を当該ファンの径方向に導風する第１風路部における、ファンの空気吸入側（第１方向側）とは反対側の面の一部を形成している。これにより、ファンに対して軸方向に対向する位置にイオン発生装置を設ける場合に比べて、風路を短く設定することが出来てイオン発生装置をコンパクト化することができる。【００１７】
また、上記の構成によれば、ファンカバーに対して、イオン発生部をイオン発生ユニットとして一体で取り外すことが出来、イオン発生部の清掃や交換などのメンテナンス性が向上する。【００１８】
また、上記の構成によれば、ファンカバーを覆う筐体部を備え、上記イオン発生ユニットと一体でファンカバーを上記筐体部から取り外すことが出来て清掃などのメンテナンス性が向上する。【００１９】
また、上記の構成によれば、上記ファンカバーの吸込口に対応する下部カバー、フィルター、および底板部が上記ファンカバーに対して一体的に着脱可能でありメンテナンス性が向上する。
【図面の簡単な説明】
【００２０】
【図１】本発明の実施形態１にかかるイオン発生装置の外観を示す図であり、（ａ）は上面図、（ｂ）は側面図、（ｃ）は底面図、（ｄ）は斜視図である。
【図２】図１に示したイオン発生装置の内部構造を示す断面図である。
【図３】図１に示したイオン発生装置の分解斜視図である。
【図４】図１に示したイオン発生装置を第１方向から見た内部部品配置を示す図である。
【図５】（ａ）は図１に示したイオン発生装置が接続される配線ダクトの構成を示す説明図であり、（ｂ）は（ａ）の配線ダクトに図１に示したイオン発生装置を接続した状態を示す説明図である。
【図６】図１に示したイオン発生装置の一部を示す説明図である。
【図７】（ａ）は図１に示したイオン発生装置におけるファンから吐出される空気の風路とイオン発生部との関係を示す説明図であり、（ｂ）および（ｃ）はその変形例を示す説明図である。
【図８】本発明の実施形態２にかかるイオン発生装置の断面図である。
【図９】（ａ）は本発明の実施形態３にかかるイオン発生装置に備えられる底板部の構成を示す説明図であり、（ｂ）および（ｃ）はその変形例を示す説明図である。
【図１０】本発明の実施形態４にかかるイオン発生装置におけるファンカバーと下部カバーとの当接部の構成を示す説明図である。
【図１１】本発明の実施形態５にかかるイオン発生装置を配線ダクトに取り付けた状態を示す説明図である。
【図１２】図１に示したイオン発生装置に備えられるイオン発生部の構成を示す斜視図である。
【発明を実施するための形態】
【００２１】
〔実施形態１〕
本発明の一実施形態について図に基づいて説明する。
【００２２】
図１は、本実施形態にかかるイオン発生装置１の外観を示す図であり、（ａ）は上面図、（ｂ）は側面図、（ｃ）は底面図、（ｄ）は斜視図である。また、図２はイオン発生装置１の断面図であり、図３はイオン発生装置１の分解斜視図である。図４はイオン発生装置１の内部を第１方向から見た部品配置図で、ファンを取り外した状態で部品の配置を示す図である。
【００２３】
これら各図に示すように、イオン発生装置１は、上部カバー（筐体部）１０、ダクトプラグ２０、制御基板３０、モータ（ファン駆動部）３１、基板収容部３２、ファン（遠心ファン）３３、ＰＣＩユニット（イオン発生ユニット）４０、イオン発生部４１、ファンカバー５０、フィルター６０、下部カバー７０、および底板部８０を備えている。
【００２４】
上部カバー１０は、イオン発生装置１の上面および側面の外殻を構成する部材であり、略円板状の第１天面部１０ａと、第１天面部１０ａの周端部から下方に延伸する円環状の第１周面部１０ｂと、第１周面部１０ｂの下端から略水平方向に延伸する円環状の第２天面部１０ｃと、第２天面部１０ｃの周端部から下方に延伸する円環状の第２周面部１０ｄとを備えている。第１天面部１０ａ、第１周面部１０ｂ、第２天面部１０ｃ、および第２周面部１０ｄは板状の部材からなり、これら各部に囲まれる空間は空洞になっている。なお、上部カバー１０の各部の材質は特に限定されるものではなく、例えば、樹脂であってもよく、金属であってもよい。
【００２５】
ダクトプラグ２０は、上部カバー１０における第１天面部１０ａに、当該第１天面部１０ａの中心部から上方へ突出するように取り付けられている。また、ダクトプラグ２０の先端には、図２に示すように、上方へ突出した突出部２０ａと、突出部２０ａの一部から水平方向へ突出した円板状の係合部２０ｂとが設けられている。
【００２６】
図５の（ａ）は、天井に取り付けられる配線ダクト１１０の概略構成を示す説明図である。この図に示すように、配線ダクト１１０は、所定方向に延伸する形状を有しており、ダクトプラグ２０の突出部２０ａおよび係合部２０ｂに応じた形状の溝部１１０ａおよび１１０ｂを備えている。これにより、配線ダクト１１０の溝部１１０ａ，１１０ｂにダクトプラグ２０の突出部２０ａ，係合部２０ｂが挿入され、図５の（ｂ）に示すように、イオン発生装置１が配線ダクト１１０に吊り下げられて支持された状態で配線ダクト１１０の延伸方向に沿って移動可能に支持される。
【００２７】
また、配線ダクト１１０およびダクトプラグ２０には、電気接点（図示せず）が設けられており、ダクトプラグ２０が配線ダクト１１０に挿入されたときに両者の電気接点が接触し、外部電源（例えば商用電源等）から配線ダクト１１０を介してイオン発生装置１に電力が供給されるようになっている。配線ダクト１１０およびダクトプラグ２０は、いずれも一般に使用されるものであるので詳細な説明は省く。
【００２８】
基板収容部３２は、中空の略円盤状の形状からなり、上部カバー１０における第１天面部１０ａおよび第１周面部１０ｂに囲まれた空間に収容され、上部カバー１０に固定される。
【００２９】
基板収容部３２の内部には、イオン発生装置１の各部の動作を制御する制御部（図示せず）を有する制御基板３０とモータ３１とが収容されている。
【００３０】
モータ３１は、制御基板３０の中心部に設けられた貫通孔に配置されており、下方に突出するモータ軸３１ａを備えている。また、モータ軸３１ａには、ファン３３が取り付けられている。これにより、モータ３１が上記制御部の指示に応じてモータ軸３１ａを回転させることで、ファン３３がモータ軸３１ａを回転軸として回転する。
【００３１】
ファン３３はターボファン（遠心ファン）であり、下方（回転軸方向に沿った第１方向）から吸引した空気を径方向外側に送風する。ファン３３は遠心ファンに限らず、下方から吸引した空気を径方向に送出できるファンであればよい。
【００３２】
ＰＣＩユニット４０は、略ドーナツ型円筒形状を有しており、基板収容部３２の外周面と上部カバー１０における第１周面部１０ｂの内周面との間の空間に配置される。また、ＰＣＩユニット４０には、複数（本実施形態では４個）のイオン発生部４１が周方向に沿って等間隔に設けられている。
【００３３】
図１２は、イオン発生部４１の構成を示す斜視図である。この図に示すように、イオン発生部４１は、電極部（放電電極、放電部）４１aと、保護アーム４１ｂと、本体部４１ｃとを備えており、電極部４１ａおよび保護アーム４１ｂがＰＣＩユニット４０の下端面から突出するように設けられている。電極部４１aは針状の先端を有する突起であって、電極部４１aに高電圧を印可することによって先端部からイオンが発生する。
【００３４】
ＰＣＩユニット４０は、その内径がファン３３の直径よりも大きく設定されている。ファン３３は吸い込んだ空気を径方向外側に押し出すので、イオン発生部４１の電極部４１aは、ファン３３の外周部よりも風下に配置される。このようにすることで、ファン３３を取り外さずにＰＣＩユニット４０を取り外すことが出来、イオン発生部４１の清掃などのメンテナンス性の向上を図っている。また、イオン発生部４１の電極部４１a がファン３３よりも風下にあることで、電極部４１a で発生したイオンが気流に乗って送出される。
【００３５】
ＰＣＩユニット４０は、イオン発生部４１を支持して収納するものであり、イオン発生部４１の清掃や交換を助ける構造体であるが、必ずしも必要ではなくイオン発生部４１を直接ファンカバー５０に取り付ける構造であってもよい。
【００３６】
イオン発生部４１は、放電によりプラズマクラスター（登録商標）イオンと称するプラスイオンＨ＋（Ｈ２Ｏ）ｍ（ｍは任意の自然数）およびマイナスイオンＯ２−（Ｈ２Ｏ）ｎ（ｎは任意の自然数）を空気中に放出する。プラズマクラスターイオンは、除菌効果、脱臭効果、ウイルスの作用抑制効果、および静電気抑制効果を有していることが知られている。なお、イオン発生部４１は、空気中にプラズマクラスターイオン、あるいはマイナスイオンを放出することができるものであれば特に限定されるものではなく、従来から公知の構成を用いることができる。
【００３７】
また、イオン発生部４１に替えて、帯電した微細水滴を発生させる静電霧化装置を使用することも可能である。
【００３８】
ファンカバー５０は、略円盤形状の中空部材であり、内部にファン３３を収容してファン３３を保護するとともに、ファン３３によって送風される空気を径方向外側へ導き、イオン発生装置１の径方向の端部近傍から下方へ吐出させる。
【００３９】
ファンカバー５０は、外径が上部カバー１０における第１周面部１０ｂの内径と略同程度である円環状の上面部５０ａと、上面部５０ａの周端部から下方（第１方向）側に傾斜した側面部５０ｂと、上面部５０ａに対して所定の間隔を隔てて対向した底面部５０ｃとを備えている。また、側面部５０ｂの下端部における外径は上部カバー１０の第２周面部１０ｄの内径と略同程度であり、ファンカバー５０は第２周面部１０ｄに囲まれた空間に収容される。
【００４０】
ファンカバー５０の上面部５０ａおよび底面部５０ｃは、ファン３３を挟んでファン３３の径方向と略平行に対向配置され、ファン３３が送出する空気の圧力を高める圧力容器として機能する。ファンカバー５０の上面部５０ａには、イオン発生部４１の電極部４１ａおよび保護アーム４０ｂをファンカバー５０の内部に露出させるための開口部５２ａが設けられ、この開口部５２ａはイオン発生部４１の本体部４１ｃによってファンカバー５０の上面部５０ａの内表面と面一になるように埋められる。
【００４１】
また、ファンカバー５０の上面部５０ａの一部には、ＰＣＩユニット４０を装着するための複数の係合部（図示せず）が設けられており、ＰＣＩユニット４０における上記各係合部に対応する位置には、それら各係合部と係合する被係合部（図示せず）が設けられている。これにより、ＰＣＩユニット４０はファンカバー５０の上面部５０ａに着脱可能に装着されて一体化され、イオン発生部４１が上面部５０ａの一部を構成するようになっている。
【００４２】
また、上部カバー１０の一部には、ファンカバー５０を装着するための複数の装着部（図示せず）が設けられており、ファンカバー５０における上記各装着部に対応する位置にはそれら各装着部に装着される被装着部（図示せず）が設けられている。これにより、図６に示すように、一体化されたＰＣＩユニット４０およびファンカバー５０が上部カバー１０の内側に装着される。また、ＰＣＩユニット４０およびファンカバー５０を上部カバー１０から取り外すときにも、ＰＣＩユニット４０とファンカバー５０とが一体化された状態で上部カバー１０から取り外される。
【００４３】
なお、上記係合部および上記被係合部の構成は、ＰＣＩユニット４０をファンカバー５０に装着することができる構成であればよく、例えば、爪状の部材を引掛ける構成、オス部とメス部とを嵌め合わせる構成、ネジで止める構成など、従来から公知の構成を用いることができる。同様に、上記装着部および上記被装着部の構成は、一体化されたＰＣＩユニット４０とファンカバー５０とを上部カバー１０に装着することができる構成であればよい。
【００４４】
また、ファンカバー５０の底面部５０ｃの中央部には外気をファンカバー５０内に導入するための吸込口５１が設けられており、ファンカバー５０の底面部５０ｃと側面部５０ｂとの間には周方向に沿って等間隔に設けられた複数（本実施形態では４つ）の吐出口５４（開口部）が設けられている。なお、吸込口５１には、図６に示したように、多数の開口部を有する格子構造（網目構造）が形成されている。
【００４５】
本実施形態では、イオン発生部４１の数は吐出口５４の数と同じにしてあり、各イオン発生部４１は吸込口５１の中心と吐出口５４とを接続する仮想直線上に配置されるようにＰＣＩユニット４０に嵌め込まれてファンカバー５０の上面部５０aに設置され、イオン発生部４１で発生したイオンが周囲の部材に付着してイオン量が減少することを抑制する構造になっている。
【００４６】
これにより、ファン３３から吐出される空気は、ファンカバー５０の上面部５０ａと底面部５０ｃとの間の第１風路部５２によってファン３３の径方向外側へ導風される。また、第１風路部５２を通った空気は側面部５０ｂと底面部５０ｃとの間の第２風路部５３によって流れ方向が下方（第１方向側）に変換されて吐出口５４から送出される。なお、側面部５０ｂは、空気の流れ方向を下方かつ各吐出口５４の方向へ導風するように、ファン３３の周方向に沿って捩れながらファン３３の径方向に対して下方に傾斜した形状になっている。
【００４７】
図７の（ａ）は、ファン３３から吐出される空気の風路を示す説明図である。図中白抜き矢印が空気の流れを示す。この図に示すように、ファンカバー５０の上面部５０ａと底面部５０ｃとの間にファン３３から送風された空気を径方向外側に導風する第１風路部５２が形成される。側面部５０ｂと底面部５０ｃとの間に第１風路部５２で導風された空気の流れ方向をファン３３の径方向よりも下方（第１方向）側に変化させる第２風路部５３が形成される。第２風路部５３で流れ方向が下方に向かう方向に変化した空気が側面部５０ｂの下端と底面部５０ｃとの間の吐出口５４を介してイオン発生装置１の下方に吐出される。また、上面部５０ａにはＰＣＩユニット４０が装着されており、ＰＣＩユニット４０に備えられるイオン発生部４１が上面部５０ａの一部を構成するとともに、第１風路部５２の一部を構成している。
【００４８】
本実施形態では、イオン発生部４１をファンカバー５０の上面部５０aに設けたので、ファン３３を機能させるために必要な最小限の領域を確保すればよく、従来のように吐出口５４とファン部分とを接続するための長い送風路を設ける必要がなくなる。
【００４９】
また、本実施形態では、図７の（ａ）に示したように、イオン発生部４１は、先端が尖った針状の電極部４１ａを備えており、電極部４１ａの先端が下方、つまり、ファン３３の回転軸方向に略平行な方向を向くように配置されている。また、電極部４１ａの先端が上面部５０ａから第１風路部５２内に突出するように配置されている。これにより、ファン３３から吐出される気流にイオンを混合して送出することができる。
【００５０】
本実施形態のようにファン３３の外周部近傍にイオン発生部４１を設けると、イオン発生部４１の電極部４１ａには、ファン３３から吐出口５４に向かって送出される気流のほかに、ファン３３の周縁部に付着するようにファン３３の回転方向に沿って流れる気流がファン３３の回転方向に当たる。このために、電極部４１ａで発生したイオンが大量に搬送され、吐出口５４から送出されるイオン量も増加する。
【００５１】
なお、図７の（ａ）に示した構成では、イオン発生部４１を上面部５０ａにおける内径側（基板収容部３２の近傍）の位置に配置しているが、これに限るものではなく、例えば、図７の（ｂ）に示すように上面部５０ａにおける外径側（側面部５０ｂの近傍）の位置に配置してもよく、上面部５０ａにおける径方向の中央部に配置してもよい。また、図７の（ａ）に示した構成では、電極部４１ａの先端が上面部５０ａから第１風路部５２内に突出するように配置されているが、これに限らず、図７の（ｃ）に示すように電極部４１ａの先端がイオン発生部４１内の上面部５０ａよりも上方の位置に配置されていてもよい。また、イオン発生部４１の構成は、先端が尖った電極部４１ａを備えた構成に限るものではなく、プラズマクラスターイオンあるいはマイナスイオンを放出できる構成であればよい。
【００５２】
下部カバー７０は、略円環状の部材であり、上面側から下面側へ窪んだ周縁部７３と、周縁部７３の内径側に配置されて下面側から上面側に窪んだ略円形の凹部７１と、凹部７１の中心に設けられた開口部７２とを有している。開口部７２は、ファンカバー５０の吸込口５１に応じた形状で吸込口５１と連通する位置に設けられている。
【００５３】
底板部８０は、外径が下部カバー７０の凹部７１の外径よりもわずかに小さく、開口部７２およびフィルター６０の外径よりも大きい略円板状の部材であり、凹部７１の周端部を規定する側壁部７１ａおよび凹部７１の底面７１ｂとの間に所定の隙間を隔てた状態で下部カバー７０に装着される。装着方法は特に限定されるものではなく、例えば、爪部を引掛ける構成であってもよく、オス部とメス部とを嵌め合わせる構成であってもよく、ネジ止め等であってもよい。
【００５４】
また、下部カバー７０は、開口部７２を覆うようにフィルター６０が取り付けられた状態でファンカバー５０に装着される。装着方法は特に限定されるものではなく、例えば、爪部を引掛ける構成であってもよく、オス部とメス部とを嵌め合わせる構成であってもよく、ネジ止めであってもよい。
【００５５】
これにより、ファン３３が回転すると、ファン３３の吸引力によって底板部８０と下部カバー７０との間の隙間から空気が吸引され、吸引された空気は下部カバー７０の開口部７２、フィルター６０、およびファンカバー５０の吸込口５１を通ってファン３３に吸い込まれる。気流の流れを図２において黒矢印で示した。また、ファン３３に吸い込まれた空気はファン３３から径方向外側に吐出され、第１風路部５２および第２風路部５３を通って吐出口５４から下方へ吐出される。この際、ファン３３と吐出口５４との間に配置された第１風路部５２にイオン発生部４１が設けられているので、吐出口５４からはイオン発生部４１によって生成されたイオンを含む空気が吐出される。
【００５６】
また、底板部８０には通常設けられる空気吸い込み用の開口部が無いため、フィルター６０の下面に溜まった埃が重さや振動で剥がれ落ちた場合でも、室内に直接落下することを防止できる。さらに、底板部８０の周縁部から吸い込まれた気流は底板部８０の中心方向へ向かっているため、フィルター６０から剥がれ落ちた埃が底板部８０の周縁部から室内へ落下することも防止できる。
【００５７】
以上のように、本実施形態にかかるイオン発生装置１は、ファン３３から送風される空気をファン３３の径方向外側に導風する第１風路部５２と、第１風路部５２に導風された空気の流れ方向を上記径方向よりも下方側に変化させる第２風路部５３とを有するファンカバー５０を備えており、イオン発生部４１が第１風路部５２の上面側、即ちファンカバー５０の上面部５０ａの一部を構成するように配置されている。
【００５８】
これにより、ファンに対して軸方向に対向する位置にイオン発生部を設ける場合に比べて、イオン発生装置のファンの軸方向についての厚さを薄くして小型化を図ることができる。また、イオン発生部４１を有するＰＣＩユニット４０自体が風路の一部を構成するので、風路設計を効率よく行うことができ、損失の少ない風路を設計することができる。また、風路を構成する部材とＰＣＩユニット４０とを別々に形成する場合に比べて部品点数を低減することができる。
【００５９】
また、本実施形態では、複数のイオン発生部４１がＰＣＩユニット４０に一体化して形成されている。これにより、清掃やメンテナンス等のためにイオン発生部４１をイオン発生装置１から取り外す際、一体化された状態のＰＣＩユニット４０を取り外せばよいので、各イオン発生部４１を１つずつ個別に取り外す必要がなく、各イオン発生部４１をイオン発生装置１から安全かつ容易に取り外すことができる。
【００６０】
また、本実施形態では、制御基板３０、およびイオン発生部４１を、ファン３３の径方向に平行な方向に沿って配置している。これにより、イオン発生装置１におけるファンの回転軸方向についての厚さをさらに薄くすることができ、イオン発生装置１をよりコンパクト化することができる。
【００６１】
本実施形態のイオン発生装置１における、制御基板３０、モータ３１、ＰＣＩユニット４０、イオン発生部４１の位置関係を図４に示す。内部構造が分かるようにイオン発生装置１の第１の方向から見た図である。図は、ファン３３、フィルター６０、下部カバー７０、底板部８０が取り外された状態であり、さらに基板収容部３２は透明になっている。なお、制御基板３０とイオン発生部４１との配置は、ファン３３の径方向で入れ替えてもよい。
【００６２】
また、本実施形態では、イオン発生部４１を有するＰＣＩユニット４０をファンカバー５０と一体化させた状態で、ファンカバー５０およびＰＣＩユニット４０を上部カバー１０に対して一括して着脱するようになっている。これにより、清掃やメンテナンス等の際に、ＰＣＩユニット４０およびファンカバー５０をイオン発生装置１から安全かつ容易に取り外すことができる。
【００６３】
また、本実施形態では、下部カバー７０、フィルター６０、および底板部８０がファンカバー５０に対して一体的に着脱可能になっており、底板部８０の外径がフィルター６０の外径よりも大きくなっている。これにより、下部カバー７０、フィルター６０、および底板部８０をファンカバー５０から取り外す時にフィルター６０に付着した埃等が周囲に落ちることを抑制できる。
【００６４】
〔実施形態２〕
本発明の他の実施形態について説明する。なお、説明の便宜上、実施形態１と同じ機能を有する部材については同じ符号を付し、その説明を省略する。
【００６５】
図８は、本実施形態にかかるイオン発生装置１の断面図である。この図に示すように、本実施形態にかかるイオン発生装置１は、実施形態１のイオン発生装置１の構成に加えて、イオン発生装置１の下方の領域に向けて照明光を出射する照明部材９０を備えている。照明部材９０は発光機能を有するものであればよく、例えば、電球、ＬＥＤ、有機ＥＬ、蛍光灯などを用いることができる。
【００６６】
なお、本実施形態では、下部カバー７０および底板部８０として光透過性を有する材料を用い、イオン発生装置１を下方から見たときに下部カバー７０または底板部８０の裏面になる位置に複数の照明部材９０を配置している。ただし、照明部材９０の配置個数や配置位置は特に限定されるものではない。例えば、照明部材９０がイオン発生装置１の外部に露出していてもよい。
【００６７】
これにより、イオン発生装置１にイオン放出機能と照明機能とを兼ねさせることができる。
【００６８】
〔実施形態３〕
本発明のさらに他の実施形態について説明する。なお、説明の便宜上、上述した実施形態と同じ機能を有する部材については同じ符号を付し、その説明を省略する。
【００６９】
図９の（ａ）は本実施形態にかかるイオン発生装置１に備えられる底板部８０の断面図である。実施形態１では略円板形状の底板部８０を用いていたのに対して、本実施形態では周縁部８１が上方に屈曲した形状の底板部８０を用いる。これにより、フィルター６０に付着した埃等が周囲に落ちることを効果的に抑制することができる。
【００７０】
なお、底板部８０における周縁部８１の屈曲角度は特に限定されるものではなく、図９の（ａ）のように略垂直な方向に屈曲させてもよく、（ｂ）のように水平方向および垂直方向に対して傾斜した方向に屈曲させてもよい。また、周縁部８１を屈曲させる構成に限らず、例えば図９の（ｃ）に示すように、底板部８０の周縁部８１を上方に湾曲させてもよい。
【００７１】
〔実施形態４〕
本発明のさらに他の実施形態について説明する。なお、説明の便宜上、上述した実施形態と同じ機能を有する部材については同じ符号を付し、その説明を省略する。
【００７２】
図１０の（ａ）〜（ｃ）は、本実施形態にかかるイオン発生装置１におけるファンカバー５０と下部カバー７０との当接部分の構成を示す説明図である。図１０に示すように、下部カバー７０にはファンカバー５０に取り付けられたときに鉛直方向に平行に配置される被ガイド面７４が設けられており、ファンカバー５０における被ガイド面７４に対応する位置には、下部カバー７０をファンカバー５０に対して着脱する際に下部カバー７０の移動方向を鉛直方向に沿った方向に規制するガイド部材５０ｄが設けられている。
【００７３】
これにより、下部カバー７０、フィルター６０、および底板部８０をファンカバー５０に対して一体的に着脱する際に、ユーザが意図しなくても下部カバー７０、フィルター６０、および底板部８０を鉛直方向に沿って真っ直ぐに移動させることができるため、フィルター６０に付着した埃等が周囲に落ちることを効果的に抑制することができる。
【００７４】
なお、図１０では、被ガイド面７４を下部カバー７０の外縁部近傍に設けているが、被ガイド面７４の設置位置はこれに限るものではなく、下部カバー７０の移動方向を規制できる位置であればよい。
【００７５】
〔実施形態５〕
本発明のさらに他の実施形態について説明する。なお、説明の便宜上、上述した実施形態と同じ機能を有する部材については同じ符号を付し、その説明を省略する。
【００７６】
図１１は、本実施形態にかかるイオン発生装置１を配線ダクト１１０に接続した状態を示す説明図である。この図に示すように、本実施形態にかかるイオン発生装置１は、ダクトプラグ２０に加えて、接続部２１ａを介して上部カバー１０に取り付けられた２つのダミーダクトプラグ２１を備えており、ダクトプラグ２０およびダミーダクトプラグ２１の合計３か所で配線ダクト１１０に取り付けられている。
【００７７】
ダミーダクトプラグ２１における配線ダクト１１０との接続部の形状は、ダクトプラグ２０と同様、配線ダクト１１０の溝部１１０ａ，１１０ｂに応じた形状になっている。これにより、ダクトプラグ２０のみで配線ダクト１１０に接続する場合と同様、イオン発生装置１を配線ダクト１１０の延伸方向に沿って移動させることができる。ただし、配線ダクト１１０を介したイオン発生装置１と外部電源との電気的接続はダクトプラグ２０によって行われ、ダミーダクトプラグ２１は配線ダクト１１０との電気的接続には寄与しない。
【００７８】
これにより、イオン発生装置１を複数箇所で配線ダクト１１０に接続することができるので、１つのダクトプラグ２０のみでイオン発生装置１を配線ダクト１１０に接続する場合よりも、イオン発生装置１を配線ダクト１１０に安定して支持させることができる。したがって、イオン発生装置１の横揺れ等に対する耐久性を向上させ、より確実な落下防止を図ることができる。
【００７９】
また、ダミーダクトプラグ２１はダクトプラグ２０の電気接点を省略したものであるため、ダミーダクトプラグ２１をダクトプラグ２０と略同形状にすることができるので、ダミーダクトプラグ２１を設けることによる外観上の違和感を低減できる。
【００８０】
また、落下防止のためにイオン発生装置１を壁や天井などに螺子止めする等の対策を行う必要がないので、ユーザの利便性を低下させるたり、既存設備の外観を損なったりすることなく、落下防止を図ることができる。
【００８１】
なお、接続部２１ａの材質や形状は特に限定されるものではなく、例えば、樹脂や金属等の部材であってもよく、紐あるいはワイヤー状の部材であってもよい。また、接続部２１ａは上部カバー１０に対して固定されていてもよく、上部カバー１０に対して着脱可能であってもよい。また、また、ダミーダクトプラグ２１は接続部２１ａに対して固定されていてもよく、着脱可能であってもよい。
【００８２】
また、本実施形態では、ダミーダクトプラグ２１を２つ備えた構成について説明したが、ダミーダクトプラグ２１の設置個数は特に限定されるものではない。
【００８３】
〔まとめ〕
本発明の態様１にかかるイオン発生装置１は、回転軸方向に沿った第１方向から吸引した空気を径方向外側に送風するファン３３と、ファン３３によって送風される空気中にイオンを発生させるイオン発生部４１とを備えたイオン発生装置１であって、上記第１方向側から内部構造を見るとファン３３を回転駆動するモータ３１を中心として、制御基板３０とイオン発生部４１とを同心円状に重なりを避けて配置していることを特徴としている。
【００８４】
上記の構成によれば、モータ３１を中心として、制御基板３０とイオン発生部４１とを同心円状に重なりを避けて配置しているのでイオン発生装置の厚さを薄くすることができ、イオン発生装置をコンパクト化することができる。
【００８５】
本発明の態様１にかかるイオン発生装置１は、回転軸方向に沿った第１方向から吸引した空気を径方向外側に送風するファン３３と、ファン３３によって送風される空気中にイオンを発生させるイオン発生部４１とを備えたイオン発生装置１であって、ファン３３から送風された空気を径方向に導風する第１風路部５２と、第１風路部５２に導風された空気の流れ方向を第１方向側に変化させる第２風路部５３とを有するファンカバー５０を備え、イオン発生部４１は、第１風路部５２における第１方向の反対側である第２方向側の面（上面部５０ａ）の一部を形成していることを特徴としている。
【００８６】
上記の構成によれば、イオン発生部４１は、ファン３３から送風された空気をファン３３の径方向に導風する第１風路部５２における空気吸入側（第１方向側）とは反対側の面である上面部５０ａの一部に配置されている。これにより、ファンに対して軸方向に対向する位置にイオン発生部を設ける場合に比べて、イオン発生装置の厚さを薄くすることができ、イオン発生装置をコンパクト化することができる。
【００８７】
本発明の態様２にかかるイオン発生装置１は、上記態様１において、イオン発生部４１はファン３３の周方向に沿って所定間隔毎に複数配置されている構成である。
【００８８】
上記の構成によれば、質量の大きいモータ３１を中心にしてイオン発生部４１をファン３３の周方向に沿って所定間隔毎に配置することにより、イオン発生装置１から吐出される空気中にイオンを均一に発生させることができる。また、イオン発生部４１を所定間隔毎に配置することにより、モータ３１を中心に重量バランスが取り易くなり、イオン発生装置１の重心を安定させることができる。
【００８９】
本発明の態様３にかかるイオン発生装置１は、上記態様２において、複数の上記イオン発生部４１が一体化されたイオン発生ユニット４０を備え、上記イオン発生ユニット４０はファンカバー５０に対して、イオン発生部４１が一体化された状態で着脱可能である構成である。
【００９０】
上記の構成によれば、清掃やメンテナンス等の際に、イオン発生部４１が一体化された状態のイオン発生ユニット４０をファンカバー５０から安全かつ容易に取り外すことができる。
【００９１】
本発明の態様４にかかるイオン発生装置１は、上記態様３において、上記ファンカバー５０を収容する筐体部（上部カバー１０）を備え、上記ファンカバー５０は上記筐体部（上部カバー１０）に対して着脱可能であり、上記ファンカバー５０は上記イオン発生ユニット４０が装着された状態で上記筐体部（上部カバー１０）に対して着脱される構成である。
【００９２】
上記の構成によれば、清掃やメンテナンス等の際に、イオン発生部４１が一体化されたイオン発生ユニット４０が装着されているファンカバー５０を、筐体部（上部カバー１０）から安全かつ容易に取り外すことができる。
【００９３】
本発明の態様５にかかるイオン発生装置１は、上記態様１から４のいずれかにおいて、上記第１方向側に光を出射する照明部材９０を備えている構成である。
【００９４】
上記の構成によれば、イオン発生装置１に照明装置としての機能を兼ねさせることができる。
【００９５】
本発明の態様６にかかるイオン発生装置１は、上記態様１から５のいずれかにおいて、ファン３３およびイオン発生部４１の動作を制御するための制御部を有する制御基板３０と、ファン３３を駆動するモータ３１とを備え、制御基板３０は、ファン３３に対して上記第２方向側の位置に配置されており、モータ３１は制御基板３０の中心部に設けられた貫通孔に取り付けられており、イオン発生部４１は、制御基板３０に対してファン３３の径方向に平行な方向の位置に配置されている構成である。
【００９６】
なお、イオン発生部４１は、先端が尖った針状の電極部４１ａを備えており、電極部４１ａの先端がファン３３の回転軸方向に略平行な方向を向くように配置されていてもよい。
【００９７】
上記の構成によれば、制御基板３０、モータ３１、およびイオン発生部４１を、ファン３３の径方向に平行な方向に沿って同心円状に重なりを避けて配置することができる。これにより、イオン発生装置１におけるファン３３の軸方向についての厚さをさらに薄くすることができ、イオン発生装置１をよりコンパクト化することができる。
【００９８】
また、上記の構成によれば、最も重量があるモータを中心として制御基板、イオン発生部が同心円状に配置されるので、イオン発生装置の前後方向および左右方向の重量バランスが採り易くなる。また、モータが吊り下げ部であるダクトプラグ２０に接近して配置されることで、イオン発生装置が左右方向に振動した場合でもダクトプラグ２０の係合部２０ｂに掛かるトルクを小さく出来て、振動にも強い構造とすることが出来る。
【００９９】
また、上記の構成において、ＰＣＩユニット４０の内径をファン３３の外形よりも大きくすることで、イオン発生部４１の清掃や交換などの際に、ファン３３を取り外すことなく、ＰＣＩユニット４０を安全かつ容易に取り外すことが出来る。
【０１００】
本発明の態様７にかかるイオン発生装置１は、上記態様１から６のいずれかにおいて、ファンカバー５０は、ファン３３に対して第１方向側に対向する位置に外気を取り入れるための吸込口５１を有しており、ファンカバー５０の第１方向側に取り付けられた、吸込口５１に対応する形状の開口部７２を有する下部カバー７０と、開口部７２を覆うように配置されるフィルター６０と、下部カバー７０の第１方向側の位置に、下部カバー７０との間に外気を取り入れるための隙間が形成された状態で取り付けられる底板部８０とを備え、底板部８０は、フィルター６０よりも外径が大きく、下部カバー７０、フィルター６０、および底板部８０がファンカバー５０に対して一体的に着脱可能である構成である。
【０１０１】
上記の構成によれば、下部カバー７０、フィルター６０、および底板部８０をファンカバー５０に対して一体的に着脱することができ、また、フィルター６０よりも下方にフィルター６０よりも外径が大きい底板部８０が備えられているので、着脱時にフィルターに付着した埃等が周囲に落ちることを抑制できる。
【０１０２】
本発明の態様８にかかるイオン発生装置１は、上記態様７において、底板部８０の周縁部８１が第１方向側に湾曲または屈曲している構成である。
【０１０３】
上記の構成によれば、上記底板部８０の周縁部８１が上記第１方向側に湾曲または屈曲しているので、フィルター６０に付着した埃等が周囲に落ちることをより効果的に抑制することができる。
【０１０４】
本発明の態様９にかかるイオン発生装置１は、上記態様７または８において、ファンカバー５０または下部カバー７０の少なくとも一方に、下部カバー７０、フィルター６０、および底板部８０をファンカバー５０に着脱する際の下部カバー７０、フィルター６０、および底板部８０の移動方向を規定するガイド部材５０ｄが設けられている構成である。
【０１０５】
上記の構成によれば、下部カバー７０、フィルター６０、および底板部８０をファンカバー５０に着脱する際のこれら各部材の移動方向をガイド部材５０ｄによって規定することができ、フィルター６０に付着した埃等が周囲に落ちることをより効果的に抑制できる。
【０１０６】
本発明の態様１０にかかるイオン発生装置１は、上記態様１から９のいずれかにおいて、ファン３３よりも第２方向側の位置に、当該イオン発生装置１を配線ダクト１１０に接続するためのダクトプラグ２０を備えている構成である。
【０１０７】
上記の構成によれば、ダクトプラグ２０を用いてイオン発生装置１を配線ダクト１１０に接続することができる。
【０１０８】
本発明の態様１１にかかるイオン発生装置１は、上記態様１０において、ダクトプラグ２０は、配線ダクト１１０に対して通電可能に接続され、配線ダクト１１０を介して当該イオン発生装置１の駆動電力を受電するものであり、配線ダクト１１０に対して非通電状態で接続されるダミーダクトプラグ２１をさらに備えている構成である。
【０１０９】
上記の構成によれば、ダミーダクトプラグ２１を用いることで配線ダクト１１０とイオン発生装置１との接続状態をダクトプラグ２０のみで接続する場合よりも安定させることができる。
【０１１０】
上記の構成によれば、ダミーダクトプラグ２１を用いることで配線ダクト１１０とイオン発生装置１との係合状態をダクトプラグ２０のみで接続する場合よりも吊下げ力を向上させることができる。これにより、イオン発生装置１が地震などで振動させられた場合でも、落下の危険性を低下することが出来る。
【０１１１】
本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することもできる。
【産業上の利用可能性】
【０１１２】
本発明は、イオン発生装置に適用することができる。
【符号の説明】
【０１１３】
１    イオン発生装置
１０  上部カバー（筐体部）
２０  ダクトプラグ
２１  ダミーダクトプラグ
３０  制御基板
３１  モータ（ファン駆動部）
３２  基板収容部
３３  ファン（遠心ファン）
４０  ＰＣＩユニット（イオン発生ユニット）
４１  イオン発生部
５０  ファンカバー
５０ａ  上面部
５０ｂ  側面部
５０ｃ  底面部
５０ｄ  ガイド部材
５１  吸込口
５２  第１風路部
５３  第２風路部
５４  吐出口
６０  フィルター
７０  下部カバー
７２  開口部
７３  周縁部
７４  被ガイド面
８０  底板部
８１  周縁部
９０  照明部材
１１０  配線ダクト
【図１】
2016067743.tif 000003
【図２】
2016067743.tif 000004
【図３】
2016067743.tif 000005
【図４】
2016067743.tif 000006
【図５】
2016067743.tif 000007
【図６】
2016067743.tif 000008
【図７】
2016067743.tif 000009
【図８】
2016067743.tif 000010
【図９】
2016067743.tif 000011
【図１０】
2016067743.tif 000012
【図１１】
2016067743.tif 000013
【図１２】
2016067743.tif 000014
【国際調査報告】
2016067743.tif 000015
2016067743.tif 000016
2016067743.tif 000017
2016067743.tif 000018